(57)【要約】      （修正有）【課題】装飾部による美観を維持することができるスマートフォン用ケースを提供する。【解決手段】スマートフォン用ケースは、スマートフォンを収容する凹部がおもて面側に形成されたケース本体１１と、ケース本体１１の凹部とは反対の裏面側に設けられる装飾板１２とを備えている。装飾板１２は、光透過性を有する板部材１２１と、板部材１２１のケース本体１１側に設けられた印刷膜による装飾部１２２と、装飾部１２２をケース本体１１に接着するための接着部１２４とを備えている。装飾部１２２が板部材１２１のケース本体１１側に設けられた印刷膜であるため、接着部１２４を介してケース本体１１に貼り付けることで、印刷部分である装飾部１２２が板部材１２１の内側にあり、外側から露出していない。そのため、板部材１２１が鋭利な物により傷が付いたり、板部材１２１が擦れて削れたりしても、装飾部１２２まで至り難いので、装飾部１２２が崩れ難い。【選択図】図２
0003217877.tif 000002
【実用新案登録請求の範囲】
【請求項１】
スマートフォンを収容する凹部がおもて面側に形成されたケース本体と、前記ケース本体の前記凹部とは反対の裏面側に設けられる装飾板とを備え、
前記装飾板は、光透過性を有する板部材と、前記板部材の前記ケース本体側に設けられた印刷膜による装飾部と、前記装飾部を前記ケース本体に接着するための接着部とを備えたスマートフォン用ケース。
【請求項２】
前記装飾部に印刷膜による保護部が設けられた請求項１記載のスマートフォン用ケース。
【請求項３】
前記保護部は、白色印刷膜により形成された請求項２記載のスマートフォン用ケース。
【請求項４】
前記接着部は、両面に接着面が形成されたシート部材である請求項１から３のいずれかの項に記載のスマートフォン用ケース。
【請求項５】
前記ケース本体の裏面側に、前記装飾板の板厚の深さを有する凹部が形成された請求項１から４のいずれかの項に記載のスマートフォン用ケース。
【考案の詳細な説明】
【技術分野】
【０００１】
本考案は、スマートフォンを保護するために、スマートフォンを収容する凹部が形成されたスマートフォン用ケースに関するものである。
【背景技術】
【０００２】
スマートフォンは、その薄さから、スマートフォン用ケースに装着された状態で、上着のポケットや、ズボンのポケット、カバンに入れて、携帯されることがある。
そして、スマートフォンにて電話するときには、スマートフォン側を耳に当てると、スマートフォン用ケースの裏面が、スマートフォンの使用者から外側を向く。
通話の際にスマートフォン用ケースの裏面が、スマートフォンの使用者から外側を向くことから、装飾を施したスマートフォン用ケースが知られている（例えば、特許文献１参照。）
【０００３】
特許文献１に記載のスマートフォンカバーは、スマートフォンを覆う本体と、この本体のスマートフォンの裏面を覆う部分に貼着され、この貼着面と反対側の面に画像を印刷した印刷部が形成されたカバー体とを有するものである。
この印刷部は、カバー体に直接印刷したり、カバー体に印刷に適した受像層を設けて印刷したりして形成される。
例えば、剥離可能な離型性を有した基材に上に印刷に適した材料からなる受像層が設けられた中間媒体を、カバー体に転写して基材だけ剥離したり、カバー体に転写した後に受像層を基材と共にカバー体から剥離して、印刷層だけをカバー体に残したりすることが記載されている。
【先行技術文献】
【特許文献】
【０００４】
【特許文献１】実用新案登録第３１８３０９３号公報
【考案の概要】
【考案が解決しようとする課題】
【０００５】
特許文献１に記載のスマートフォンカバーには、剥離可能な離型性を有した基材に、印刷に適した材料からなり、印刷された受像層が設けられており、受像層の印刷を転写した後に受像層を、基材と共にカバー体から剥離して、印刷層だけをカバー体に残すことが記載されている。これでは、印刷層が露出するため、物が当たったり擦れたり引っ掻かれたりすると、印刷層が剥がれるおそれがある。
【０００６】
また、カバー体に転写した後に受像層は残し、基材だけ剥離することで、カバー体の印刷された面を、受像層における印刷がされていない面で保護することが記載されているが、受像層がどのようなもので形成されているかまでは記載されていない。しかし、受像層が層状のシートであると想定されることから、受像層に物が当たったり擦れたり引っ掻かれたりすると、印刷層まで至る可能性があり、やはり印刷層が剥がれるおそれがある。
【０００７】
従って、特許文献１に記載のスマートフォンカバーでは、印刷層（装飾部）による美観を損なうおそれがある。
【０００８】
そこで本考案は、装飾部による美観を維持することができるスマートフォン用ケースを提供することを目的とする。
【課題を解決するための手段】
【０００９】
本考案のスマートフォン用ケースは、スマートフォンを収容する凹部がおもて面側に形成されたケース本体と、前記ケース本体の前記凹部とは反対の裏面側に設けられる装飾板とを備え、前記装飾板は、光透過性を有する板部材と、前記板部材の前記ケース本体側に設けられた印刷膜による装飾部と、前記装飾部を前記ケース本体に接着するための接着部とを備えたことを特徴とする。
【００１０】
本考案のスマートフォン用ケースは、板部材のケース本体側に、印刷膜による装飾部が設けられているため、板部材が鋭利な物により傷が付いたり、板部材が擦れて削れたりしても、装飾部まで至り難いため、装飾部が崩れ難い。
【００１１】
前記装飾部に印刷膜による保護部を設けることができる。装飾部に保護部を設け、上塗りすることで、接着部が収縮しても保護部が遮蔽するため、接着部の影響を装飾部へ伝え難くすることができるので、装飾部の形状維持を安定させることができる。
【００１２】
前記保護部を、白色印刷膜により形成することができる。装飾部を透過した光を、白色印刷膜による保護部で反射させることができるため、装飾部の色のコントラストを向上させることができるので、装飾部を使用者に鮮やかに見せることができる。
【００１３】
前記接着部を、両面に接着面が形成されたシート部材とすることができる。接着部を、両面に接着面が形成されたシート部材とすることで、接着面全体で装飾部の表面に接着するため、装飾板を適度な接着力でケース本体に接着させることができる。
【００１４】
前記ケース本体の裏面側に、前記装飾板の板厚の深さを有する凹部を形成することができる。装飾板をケース本体の裏面側に形成された凹部に収容することで、ケース本体に貼り付けた装飾板の出っ張りを無くすことができる。
【考案の効果】
【００１５】
本考案のスマートフォン用ケースによれば、板部材が鋭利な物により傷が付いたり、板部材が擦れて削れたりしても、装飾部まで至り難いため、装飾部が崩れ難いので、装飾部による美観を維持することができる。
【図面の簡単な説明】
【００１６】
【図１】本考案の実施の形態に係るスマートフォン用ケースとスマートフォンとを示す斜視図である。
【図２】図１に示すスマートフォン用ケースの分解斜視図である。
【考案を実施するための形態】
【００１７】
本考案の実施の形態に係るスマートフォン用ケースを図面に基づいて説明する。
図１および図２に示すように、本実施の形態に係るスマートフォン用ケース１０は、スマートフォンＳを収容する凹部１１ａがおもて面側１１ｍに形成されたケース本体１１と、ケース本体１１の凹部１１ａとは反対の裏面側１１ｎに設けられる装飾板１２とを備えている。
【００１８】
ケース本体１１の底面１１ｂには、スマートフォンのカメラレンズ用の貫通孔１１ｃと、指紋認証センサ用の貫通孔１１ｄとが開設されている。
ケース本体１１の裏面側１１ｎには、装飾部１２２の板厚の深さを有する凹部１１ｆが形成されている。
【００１９】
装飾板１２は、ケース本体１１の裏面側１１ｎに形成された凹部１１ｆに収容される。
装飾板１２は、光透過性を有する板部材１２１と、板部材１２１のケース本体１１側に設けられた印刷膜による装飾部１２２と、装飾部１２２に設けられた印刷膜による保護部１２３と、ケース本体１１に接着するための接着部１２４とを備えている。
【００２０】
板部材１２１は、角部が丸くなった四角形状に形成されている。
板部材１２１は、装飾部１２２が視認可能な光透過性を有していればよいが、本実施の形態では透明板部材を使用している。透明板部材は、ガラスやポリカーボネート、アクリルなどとすることができる。
【００２１】
装飾部１２２は、板部材１２１を通して視認されるため、様々なデザインの印刷膜により形成することができる。
保護部１２３となる印刷膜は、装飾部１２２に上塗りされたものである。
本実施の形態では、保護部１２３を、白色印刷膜により形成している。
【００２２】
接着部１２４は、装飾部１２２と保護部１２３とが印刷された板部材１２１を、ケース本体１１に貼り付け、固定するものである。接着部１２４は、接着材を吹き付けたり、接着材を塗布したりして接着膜を形成したり、接着面が両面に形成されたシート部材としたりすることができる
【００２３】
以上のように構成された本考案の実施の形態に係るスマートフォン用ケース１０の製造方法について図面に基づいて説明する。
まず、印刷膜による装飾部１２２を板部材１２１のケース本体１１側に形成する。装飾部１２２となる印刷膜は、インクジェットプリンタによりインクを吹き付けて形成したり、転写用フィルムに印刷された印刷物を転写により形成したり、インクを塗布して形成したりすることができる。
【００２４】
次に、板部材１２１に印刷された装飾部１２２の上に、白色インクによる印刷膜を上塗りして保護部１２３を形成する。この保護部１２３となる印刷膜は、装飾部１２２と同様に、インクジェットプリンタによりインクを吹き付けて形成したり、転写用フィルムに印刷された印刷物を転写により形成したり、インクを塗布して形成したりすることができる。
【００２５】
次に、接着部１２４から、一方の接着面に貼られた剥離紙を剥がし、保護部１２３に貼り付け、装飾板１２を形成する。
そして、接着部１２４から、他方の接着面に貼られた剥離紙を剥がし、装飾板１２をケース本体１１の裏面側１１ｎに形成された凹部１１ｆに貼り付け収容することで、スマートフォン用ケース１０が完成する。
【００２６】
上記例では、接着部１２４を板部材１２１側に貼り付けた後に、ケース本体１１に貼り付けたが、接着部１２４をケース本体１１に貼り付けた後に、装飾部１２２と保護部１２３とが形成された板部材１２１を凹部１１ｆに収容することで、板部材１２１側をケース本体１１に貼り付けるようにしてもよい。
【００２７】
このようにスマートフォン用ケース１０が形成されていることで、印刷部分である装飾部１２２が板部材１２１の内側にあり、外側から露出していないため、板部材１２１が鋭利な物により傷が付いたり、板部材１２１が擦れて削れたりしても、装飾部１２２まで至り難いので、装飾部１２２が崩れ難い。
従って、スマートフォン用ケース１０は、装飾部１２２による美観を維持することができる。
【００２８】
また、装飾部１２２に保護部１２３を設け、上塗りすることで、接着部１２４が収縮しても保護部１２３が遮蔽するため、接着部１２４の影響を装飾部１２２へ伝え難くすることができるので、装飾部１２２の形状維持を安定させることができる。
【００２９】
また、装飾部１２２を透過した光を、白色印刷膜による保護部１２３で反射させることができるため、装飾部１２２の色のコントラストを向上させることができるので、装飾部１２２を使用者に鮮やかに見せることができる。
【００３０】
例えば、接着部を液状接着材により形成すると、液状接着材が装飾部１２２に浸透して一体化してケース本体１１と接着するため、装飾部１２２がケース本体１１に強固に接着されることで、板部材１２１の平滑な面から装飾部１２２が分離するおそれがある。
また、液状接着材を接着部として使用すると、溶剤が揮発することにより収縮して装飾部１２２に寄りやずれを生じさせるおそれがある。
しかし、接着部１２４を、両面に接着面が形成されたシート部材とすることで、接着面全体で保護部１２３（装飾部１２２）の表面に接着するため、装飾板１２を適度な接着力でケース本体１１に接着させることができる。また、シート部材であれば膨張収縮などの変形が無い、または小さいため、装飾部１２２への影響を防止することができる。
【００３１】
ケース本体１１の裏面側１１ｎに、装飾板１２の板厚の深さを有する凹部１１ｆが形成されているため、装飾板１２を凹部１１ｆに収容することができる。そうすることで、装飾板１２の厚み部分である周囲面が露出しないので、ケース本体１１に貼り付けた装飾板１２の出っ張りを無くすことができる。従って、装飾板１２の周囲面に物が当たって装飾板１２がケース本体１１から剥がれることが防止できる。
【００３２】
なお、本実施の形態では、接着部１２４を板部材１２１と同じ大きさのものであったが、装飾部１２２と保護部１２３とが形成された板部材１２１がケース本体１１に固定できれば、接着部１２４が両面テープ（帯状の接着部材）でもよい。
【産業上の利用可能性】
【００３３】
本考案は、装飾部のデザインにより美観を向上させることができるため、スマートフォン用ケースに好適である。
【符号の説明】
【００３４】
１０  スマートフォン用ケース
１１  ケース本体
１１ａ  凹部
１１ｂ  底面
１１ｃ，１１ｄ  貫通孔
１１ｆ  凹部
１１ｍ  おもて面側
１１ｎ  裏面側
１２  装飾板
１２１  板部材
１２２  装飾部
１２３  保護部
１２４  接着部
Ｓ  スマートフォン
【図１】
0003217877.tif 000003
【図２】
0003217877.tif 000004